(57)【要約】【課題】自動的にラップ量を調整できるような丸刃を使用するシヤーカット型スリッターのラップ量調整方法および装置を提供すること。【解決手段】丸刃を使用するシヤーカット型スリッターのラップ量調整は、ナイフ交換時において交換するナイフの径を、刃先検出センサーを用いて自動的に計測し、計測したナイフ径と刃先検出センサーの刃先検出点とに基いて所望のラップ量を得るためのナイフ位置を演算で求めることによって行われる。丸刃を使用するシヤーカット型スリッターにおいて、交換ナイフの直径を自動的または半自動的に計測でき、また、上下刃のラップ量も自動的に調整できるので、ナイフ交換時の手間が非常に簡単化される。また、熟練した作業者でなくとも、容易にナイフ交換を問題なく行うことができる。【選択図】図８
2010234522.tif 000002
【特許請求の範囲】
【請求項１】
丸刃を使用するシヤーカット型スリッターにおいてナイフの径を自動的に計測する方法において、当該スリッターにおける切断すべきウエブ面から、当該スリッターで使用し得る最大径のナイフの刃先径に所定の余裕値を加えた値に等しい距離だけ離れた基準点に接触式の刃先検出センサーを配置し、現ナイフから新ナイフに交換された時における該新ナイフの位置から該新ナイフの刃先が前記刃先検出センサーに接触して該刃先検出センサーにより検出されるまで前記新ナイフを該刃先検出センサーに向かって移動させ、該新ナイフの移動距離と前記基準点位置とに基いて該新ナイフの径を演算で求め、
前記刃先検出センサーが、該ナイフを保持する保持部に対応して個別に設けられたものである、ことを特徴とする方法。
【請求項２】
丸刃を使用するシヤーカット型スリッターにおいてナイフの径を自動的に計測する方法において、当該スリッターにおける切断すべきウエブ面から、当該スリッターで使用し得る最大径のナイフの刃先径に所定の余裕値を加えた値に等しい距離だけ離れた基準点に接触式の刃先検出センサーを配置し、現ナイフから新ナイフに交換された時における該新ナイフの刃先が前記刃先検出センサーに接触して該刃先検出センサーにより検出されるまで該刃先検出センサーを前記新ナイフに向かって移動させ、該刃先検出センサーの移動距離と前記基準点位置とに基いて前記新ナイフの径を演算で求め、
前記刃先検出センサーが、該ナイフを保持する保持部に対応して個別に設けられたものである、ことを特徴とする方法。
【請求項３】
丸刃を使用するシヤーカット型スリッターのラップ量調整装置において、上刃ホルダーおよび／または下刃ドライブユニットの所定の基準点位置に配置された接触式の刃先検出センサーと、交換ナイフの刃先を前記刃先検出センサーに対して移動させるためのナイフ移動手段と、該ナイフ移動手段の動作を制御するためのナイフ移動制御手段と、交換ナイフの径を演算によって求める交換ナイフ径演算手段とを備えており、前記ナイフ移動制御手段は、ナイフ交換時において前記ナイフ移動手段を制御して現ナイフから新ナイフに交換された時における該新ナイフの位置から該新ナイフの刃先が前記刃先検出センサーに接触して該刃先検出センサーにより検出されるまで該新ナイフを該刃先検出センサーに向かって移動させ、前記交換ナイフ径演算手段は、該新ナイフの移動距離と前記基準点位置とに基いて該新ナイフの径を演算で求め、前記ナイフ移動制御手段は、前記演算で求められた前記新ナイフの径に基いて前記ナイフ移動手段を制御して該新ナイフの刃先とウェブ面との間に所望のラップ量の半分に相当する距離が隔てられるように該新ナイフを移動させることにより、前記所望のラップ量が得られるようになっており、
前記刃先検出センサーが、該ナイフを保持する保持部に対応して個別に設けられたものである、ことを特徴とするラップ調整装置。
【請求項４】
前記刃先検出センサーは、常時閉形タッチセンサーであり、前記ナイフ移動手段は、サーボモーターを含む請求項３に記載のラップ調整装置。
【請求項５】
丸刃を使用するシヤーカット型スリッターのラップ量調整装置において、上刃ホルダーおよび／または下刃ドライブユニットの所定の基準点位置に配置された接触式の刃先検出センサーと、前記刃先検出センサーを交換ナイフの刃先に対して移動させるためのセンサー移動手段と、該センサー移動手段の動作を制御するためのセンサー移動制御手段と、交換ナイフの径を演算によって求める交換ナイフ径演算手段と、ナイフ移動手段とを備えており、前記センサー移動制御手段は、前記センサー移動手段を制御して現ナイフから新ナイフに交換された時における該新ナイフの刃先が前記刃先検出センサーに接触して該刃先検出センサーにより検出されるまで該刃先検出センサーを該新ナイフに向かって移動させ、前記交換ナイフ径演算手段は、該刃先検出センサーの移動距離と前記基準点位置とに基いて前記新ナイフの径を演算で求め、前記ナイフ移動手段は、前記演算で求められた該新ナイフの径に基いて該新ナイフの刃先とウェブ面との間に所望のラップ量の半分に相当する距離が隔てられるように該ナイフを移動させることにより、前記所望のラップ量が得られるようになっており、
前記刃先検出センサーが、該ナイフを保持する保持部に対応して個別に設けられたものである、ことを特徴とするラップ調整装置。
【請求項６】
前記刃先検出センサーは、常時閉形タッチセンサーであり、前記センサー移動手段は、前記刃先検出センサーを先端に取り付けたリニヤースケールを含む請求項５に記載のラップ調整装置。
【発明の詳細な説明】
【技術分野】
【０００１】
本発明は、丸刃を使用するシヤーカット型スリッターのラップ量調整方法および装置に関するものである。
【背景技術】
【０００２】
従来から、帯状紙や帯状フィルム等のウエブを切断する装置として丸刃を使用するシヤーカット型スリッターがある。この種のスリッターとしては、図１に略示するように下刃を椀型刃１とし、上刃を皿型刃とするものや、図２に略示するように下刃を皿型刃３とし、上刃も皿型刃４とするもの等がある。
【０００３】
このような丸刃を使用するシヤーカット型スリッターのカッティング(切断）の良否を支配する要素には次の４つの要素がある。
（１）１対のナイフの接触圧（これは、図３に略示するような、下刃３と上刃４との間における矢印Ｐ方向における圧接力である）。
（２）１対のナイフ同志のトーイン角（これは、図４に略示するような、切断すべきウエブの流れ方向に対する下刃３、上刃４の傾斜角αである）。
（３）１対のナイフの間のオフセット（これは、図５に略示するような、切断すべきウエブの流れ方向における下刃３の中心と上刃４の中心とのずれβである）。
（４）１対のナイフの間のラップ量（これは、図６に略示するような、下刃３と上刃４との間の刃先の重なり量ｄである）。
【０００４】
これら４つの要素のうち、従来からラップ量の調節は専ら目視によって行われてきた。
【発明の概要】
【発明が解決しようとする課題】
【０００５】
ラップ量が大きいと、刃先でウエブの切口を「こする」傾向が強くなり、切口が悪化するとともに、ダスト（切粉）の発生が多くなり、品質の著しい低下を招くことになる。従って、ラップ量はできるだけ小さい方が望ましいが、小さ過ぎると、ナイフの研磨精度に係る真円度、あるいは刃先強度の問題もあり、刃と刃の接触が外れ、切断不良となる障害が発生することがある。そのためにラップ量の管理は極めて重要である。例えば、製紙の場合は１．０〜１．５ｍｍが適正と考えられている。
【０００６】
また、シヤーカットに使用されるナイフの形状は、椀型刃（図１の下刃１）と皿型刃（図１の上刃２、図２の下刃３および上刃４）とがあり、椀型刃の場合は、研磨によってナイフ径が変化することはないが、皿型刃の場合は、研磨によって径が段々小さくなるので、一定の径の刃を使用することは不可能である。一般的には下刃に椀型刃、上刃に皿型刃を使用するケース（図１参照）が多いが、最近は上下皿型刃を使用するケース（図２参照）も増えている。上下皿型刃の方が切口が良好なためである。上下椀型刃のスリッターは特殊なケース以外は使用されていないのが現状である。
【０００７】
従って、総てのスリッターには片方乃至両方に皿型刃が使用されていると考えてよく、そのために一定のラップ量を得るためにはナイフ交換のたびに皿型刃の直径に応じたナイフの位置調整が必要である。そのために、皿型刃を交換するたびにラップ量の調整に大変な手間を要していた。また、作業者の勘に頼っていたので、非常に熟練した技能を有した作業者を必要としていた。
【０００８】
よって、本発明の目的は、このような従来の問題点を解決するため、自動的にラップ量を調整できるような、丸刃を使用するシヤーカット型スリッターのラップ量調整方法および装置を提供することである。
【課題を解決するための手段】
【０００９】
本発明の一つの観点によれば、丸刃を使用するシヤーカット型スリッターのラップ量調整方法において、ナイフ交換時において交換するナイフの径を、刃先検出センサーを用いて自動的に計測し、前記計測したナイフ径と前記刃先検出センサーの刃先検出点とに基いて所望のラップ量を得るためのナイフ位置を演算で求めることを特徴とするラップ量調整方法が提供される。
【００１０】
本発明の別の観点によれば、丸刃を使用するシヤーカット型スリッターにおいてナイフの径を自動的に計測する方法において、当該スリッターにおける切断すべきウエブ面から、当該スリッターで使用し得る最大径のナイフの刃先径に所定の余裕値を加えた値に等しい距離だけ離れた基準点に刃先検出センサーを配置し、ナイフ交換時にナイフ刃先が前記刃先検出センサーで検出されるまでナイフを移動させ、該ナイフの移動距離と前記基準点位置とに基いてナイフ径を演算で求めることを特徴とする方法が提供される。
【００１１】
本発明のさらに別の観点によれば、丸刃を使用するシヤーカット型スリッターにおいてナイフの径を自動的に計測する方法において、当該スリッターにおける切断すべきウエブ面から、当該スリッターで使用し得る最大径のナイフの刃先径に所定の余裕値を加えた値に等しい距離だけ離れた基準点に刃先検出センサーを配置し、ナイフ交換時にナイフ刃先が前記刃先検出センサーで検出されるまで該刃先検出センサーを移動させ、該刃先検出センサーの移動距離と前記基準点位置とに基いてナイフ径を演算で求めることを特徴とする方法が提供される。
【００１２】
本発明のさらに別の観点によれば、丸刃を使用するシヤーカット型スリッターのラップ量調整方法において、現状のナイフ径を一旦カウンターに記憶させておき、ナイフをラップさせる方向に移動させる距離の２倍の値を前記カウンターに記憶されたカウンター値と加減算し、その値が交換するナイフ径と等しくなるところまでナイフを移動させて、ナイフ交換前のラップ量を一定に保つことを特徴とするラップ量調整方法が提供される。
【００１３】
本発明のさらに別の観点によれば、丸刃を使用するシヤーカット型スリッターのラップ量調整装置において、上刃ホルダーおよび／または下刃ドライブユニットの所定の基準点位置に配置された刃先検出センサーと、交換ナイフの刃先を前記刃先検出センサーに対して移動させるためのナイフ移動手段と、該ナイフ移動手段の動作を制御するためのナイフ移動制御手段と、交換ナイフの径を演算によって求める交換ナイフ径演算手段とを備えており、前記ナイフ移動制御手段は、ナイフ交換時において前記ナイフ移動手段を制御してナイフ刃先が前記刃先検出センサーで検出されるまでナイフを移動させ、前記交換ナイフ径演算手段は、該ナイフの移動距離と前記基準点位置とに基いてナイフ径を演算で求め、前記ナイフ移動制御手段は、前記演算で求められたナイフ径に基いて前記ナイフ移動手段を制御して所望のラップ量が得られる位置へとナイフを移動させるようにすることを特徴とするラップ調整装置が提供される。
【００１４】
本発明の一つの実施の形態によれば、前記刃先検出センサーは、常時閉形タッチセンサーであり、前記ナイフ移動手段は、サーボモーターを含む。
【００１５】
本発明のさらに別の観点によれば、丸刃を使用するシヤーカット型スリッターのラップ量調整装置において、上刃ホルダーおよび／または下刃ドライブユニットの所定の基準点位置に配置された刃先検出センサーと、前記刃先検出センサーを交換ナイフの刃先に対して移動させるためのセンサー移動手段と、該センサー移動手段の動作を制御するためのセンサー移動制御手段と、交換ナイフの径を演算によって求める交換ナイフ径演算手段と、ナイフ移動手段とを備えており、前記センサー移動制御手段は、ナイフ交換時において前記センサー移動手段を制御してナイフ刃先が前記刃先検出センサーで検出されるまで前記刃先検出センサーを移動させ、前記交換ナイフ径演算手段は、該刃先検出センサーの移動距離と前記基準点位置とに基いてナイフ径を演算で求め、前記ナイフ移動手段は、前記演算で求められたナイフ径に基いて所望のラップ量が得られる位置へとナイフを移動させるようにすることを特徴とするラップ調整装置が提供される。
【００１６】
本発明の一つの実施の形態によれば、前記刃先検出センサーは、常時閉形タッチセンサーであり、前記センサー移動手段は、前記刃先検出センサーを先端に取り付けたリニヤースケールを含む。
【図面の簡単な説明】
【００１７】
【図１】椀型刃と皿型刃のシヤーカット型スリッターにおける１対のナイフの組み合わせを略示する図である。
【図２】皿型刃と皿型刃のシヤーカット型スリッターにおける１対のナイフの組み合わせを略示する図である。
【図３】１対のナイフの接触圧を説明するための概略図である。
【図４】１対のナイフ同志のトーイン角を説明するための概略図である。
【図５】１対のナイフの間のオフセットを説明するための概略図である。
【図６】１対のナイフの間のラップ量を説明するための概略図である。
【図７】本発明のラップ量調整方法を実施する本発明の一実施例としてのスリッター装置の構成を略示する正面図である。
【図８】図７のスリッター装置の構成を略示する側面図である。
【図９】図７のスリッター装置における上刃ホルダーの詳細構造を説明するための部分破断側面図である。
【図１０】本発明の別の実施例としてのスリッター装置における上刃ホルダーの詳細構造を説明するための図９と同様の図である。
【発明を実施するための形態】
【００１８】
次に、特に図７から図１０を参照して、本発明の実施の形態および実施例について、本発明をより詳細に説明する。
【００１９】
先ず、本発明の具体的実施例について説明する前に、本発明の基本的原理について説明しておく。ラップ量の調整を自動化するために解決すべき課題は大別して次の２つの課題がある。
（１）第一の課題は、上刃、下刃等のナイフの直径を自動的に計測すること。
（２）第二の課題は、計測した直径に基いてナイフの位置を自動的に移動させて所望のラップ量を得ること。
【００２０】
本発明によれば、ナイフの直径を自動的に計測する第１の方法は、当該スリッターにおける切断すべきウエブ面から、当該スリッターで使用し得る最大径のナイフの刃先径に所定の余裕値Ｒを加えた値に等しい距離だけ離れた位置を基準点とし、この位置に刃先検出センサーを固定し、ナイフ交換時において、先ず刃先検出センサーで刃先が検出される位置までナイフを刃先検出センサーの方へナイフを移動させ、そのときのナイフの移動量からナイフ径を演算で求めるものである。
【００２１】
また、ナイフの直径を自動的に計測する第２の方法は、当該スリッターにおける切断すべきウエブ面から、当該スリッターで使用し得る最大径のナイフの刃先径に所定の余裕値Ｒを加えた値に等しい距離だけ離れた位置を基準点とし、ナイフ交換時において、この位置から刃先検出センサーをナイフの刃先へ向けて移動させ、刃先検出センサーで刃先が検出される位置までの刃先検出センサーの移動量をリニヤースケール等で計測して、そのときの刃先検出センサーの移動料からナイフ径を演算で求めるものである。
【００２２】
さらにまた、別の方法として、適正なラップ量を既に有するナイフの位置を基準点とし、そのときのナイフ径を距離カウンターに記憶させておき、交換するナイフ径に応じて移動させるナイフのセンター間距離の倍の値を加算または減算し、距離カウンターの値が交換するナイフ径と等しくなるところまでセンター間距離を移動させて適正なラップ量を保つ方法がある。
【００２３】
次に、これらの方法を実施する本発明の具体的な実施例について説明する。図７は、本発明のラップ量調整方法を実施する本発明の一実施例としてのスリッター装置の構成を略示する正面図であり、図８は、図７のスリッター装置の構成を略示する側面図であり、図９は、図７のスリッター装置における上刃ホルダーの詳細構造を説明するための部分破断側面図である。これら図に示されるように、この実施例のスリッター装置は、主として、皿型刃である上刃１０を着脱自在に取り付けるようにした上刃ホルダー３０と、皿型刃である下刃２０を着脱自在に取り付けるようにした下刃ドライブユニット４０とを備えている。
【００２４】
上刃ホルダー３０は、主として、このスリッター装置の上刃ホルダー取付けアーム（図示していない）に取り付け固定される上刃ホルダー支持部３１と、この上刃ホルダー支持部３１に保持される縦方向ロッド３２と、横方向ロッド保持部３３と、この横方向ロッド保持部３３に保持される横方向ロッド３４と、横方向ロッド３４に対して上刃１０を着脱自在に取り付け固定するための上刃着脱部３５と、縦方向ロッド３２を脱着位置と切断作動位置との間で移動させるための縦方向脱着用エヤーシリンダー３６と、横方向ロッド３４を脱着位置と切断作動位置との間で移動させるための横方向脱着用エヤーシリンダー３７と、上刃昇降用ギヤーボックス３８と、上刃昇降用ギヤードＡＣサーボモーター３９と、上刃用タッチセンサー５０と、この上刃用タッチセンサー５０を上刃ホルダー支持部３１に対して取り付け固定する上刃タッチセンサー支持部５１とを備えている。さらに、上刃ホルダー３０は、上刃昇降用ギヤードＡＣサーボモーター３９と上刃用タッチセンサー５０との間に設けられる上刃昇降用モータ駆動制御装置８０と、上刃昇降距離演算装置８１とを備える。上刃昇降用モータ駆動制御装置８０は、上刃昇降用ギヤードＡＣサーボモーター３９のための駆動源と、その作動を制御するための制御部とを含む。上刃昇降距離演算装置８１は、ナイフ径等の必要なパラメータを入力することのできる入力部と、この入力部からの入力値や移動距離等の計測値等を記憶するための記憶部またはカウンターと、この記憶部またはカウンターに記憶された諸値に基いて上刃昇降距離や上刃径等を演算する演算部とを含む。
【００２５】
下刃ドライブユニット４０は、主として、下刃ドライブユニットベースフレーム４１と、この下刃ドライブユニットベースフレーム４１の上面に取り付けされて切断すべきウエブの下面を支持し案内するガイド板４２と、下刃シャフト保持部４３と、この下刃シャフト保持部４３に保持される下刃シャフト４４と、この下刃シャフト４４に対して下刃２０を着脱自在に取り付け固定するための下刃着脱部４５と、下刃２０を駆動するための下刃駆動モーター４６と、下刃シャフト保持部４３を下刃ドライブユニットベースフレーム４１に対して縦方向にスライド可能に取り付け保持するためのリニヤーベアリング４７と、下刃昇降用ギヤーボックス４８と、下刃昇降用ギヤードＡＣサーボモーター４９と、下刃用タッチセンサー６０と、この下刃用タッチセンサー６０を下刃ドライブユニットベースフレーム４１に対して取り付け固定する下刃タッチセンサー支持部６１とを備えている。さらに、下刃ドライブユニット４０は、下刃昇降用ギヤードＡＣサーボモーター４９と下刃用タッチセンサー６０との間に設けられる下刃昇降用モータ駆動制御装置９０と、下刃昇降距離演算装置９１とを備える。下刃昇降用モータ駆動制御装置９０は、下刃昇降用ギヤードＡＣサーボモーター４９のための駆動源と、その作動を制御するための制御部とを含む。下刃昇降距離演算装置９１は、ナイフ径等の必要なパラメータを入力することのできる入力部と、この入力部からの入力値や移動距離等の計測値等を記憶するための記憶部またはカウンターと、この記憶部またはカウンターに記憶された諸値に基いて下刃昇降距離や下刃径等を演算する演算部とを含む。
【００２６】
図９を参照して、上刃ホルダー３０の構造についてより詳細に説明する。この図９によく示されるように、縦方向ロッド３２の下端には、横方向ロッド保持部３３が水平に取り付けられており、縦方向ロッド３２の上端には、上刃昇降スクリュウ３２１が設けられている。縦方向ロッド３２は、上刃ホルダー支持部３１内に設けられたリニヤーベアリング３１１にそって縦方向に、縦方向脱着用エヤーシリンダー３６または上刃昇降用ギヤードＡＣサーボモーター３９の作動に応じて、移動可能とされている。横方向ロッド３４は、横方向ロッド保持部３３内に設けられたリニヤーベアリング３３１にそって横方向に、横方向脱着用エヤーシリンダー３７の作動に応じて、移動可能とされている。
【００２７】
上刃昇降用ギヤーボックス３８には、上刃昇降用ギヤードＡＣサーボモーター３９の駆動軸に取り付けられて駆動軸の回転に応じて回転する上刃昇降駆動ギヤー３８１と、この上刃昇降駆動ギヤー３８１と上刃昇降スクリュウ３２１に係合した上刃昇降ギヤー３２２との間に係合して上刃昇降用ギヤードＡＣサーボモーター３９による回転駆動を上刃昇降ギヤー３２２に伝達する上刃昇降中継ギヤー３８２とが設けられている。このような歯車係合のため、上刃昇降用ギヤードＡＣサーボモーター３９の作動により、上刃昇降駆動ギヤー３８１がいずれかの方向に回転させられると、この回転駆動は、上刃昇降中継ギヤー３８２を介して上刃昇降ギヤー３２２に伝えられ、上刃昇降ギヤー３２２が回転させられる。すると、上刃昇降スクリュウ３２１は、回転する上刃昇降ギヤー３２２が縦方向においては固定されているため、それらの間のネジ係合の反動として、上刃昇降ギヤー３２２の回転方向に応じて縦方向において上方向または下方向へと移動させられる。したがって、この上刃昇降ギヤー３２２が設けられた縦方向ロッド３２もまた縦方向において上方向または下方向へと移動させられることになる。
【００２８】
上刃用タッチセンサー５０および下刃用タッチセンサー６０は、前述した刃先検出センサーを構成するものであり、接触式接点形センサーである。本発明においては、好ましくは、常時閉形（Ｂ接点）センサーが使用される。常時閉形の接触式接点形センサーは、検出体がセンサー先端のコンタクトに接触しそのコンタクトを押圧すると、内部の接触していた可動接点と固定接点が離れ、閉回路が開回路となる。検出体がコンタクトから離れると、バネによって両接点は接触し、閉回路に復する。センサーは、このような動作時にオンオフ信号を出力する。このようなタッチセンサーによると、スナップアクション機構がないので極めて高い動作点の繰り返し精度が得られる（繰り返し精度０．５μｍ）。また、次のような利点のあるものである。電気回路が簡略化できるのでコストパフォーマンスが良い。増幅回路がないので電源電圧、温度変化、時間経過に伴うドリフトがない。接触式なので塵埃、切粉、切削油剤などの影響が少ない。接点は金系特殊合金を使用し、精度寿命が長く、信頼性が高い。接点保護回路により悪い電源環境や振動に対して高い信頼性を得やすい。ＰＣやＣＮＣ等への入力が容易である。
【００２９】
次に、前述したような構成を有するスリッター装置において、上刃１０と下刃２０とのラップ量を自動的に調整するための動作について説明する。
【００３０】
先ず、下刃２０の刃先の位置は、図７および８に示されるように、切断すべきウエブの進行ライン、すなわち、ガイド板４２の上面より僅かに上になるように、ナイフの径にかかわらず常に一定でなければならない。したがって、ナイフを交換する場合には、交換するナイフの径に応じてナイフを上下に調節する必要がある。このような下刃２０の位置の調節は、下刃ドライブユニット４０における下刃昇降用ギヤードＡＣサーボモーター４９によって行う。すなわち、下刃昇降用ギヤードＡＣサーボモーター４９を作動させて下刃昇降用ギヤーボックス４８内のギヤーを回転駆動させることにより、下刃シャフト保持部４３をリニヤーベアリング４７にそって上下動させて下刃シャフト４４を上下に移動させることによって行う。
【００３１】
一方、上刃１０についても同様の調節が必要であり、このような調節は、上刃昇降用ギヤードＡＣサーボモーター３９およびこれに連結する上刃昇降用ギヤーボックス３８によって上刃１０の上下位置を調節することにより行われる。しかし、上刃ホルダー３０については、切断すべきウエブが突然切れた場合等、瞬間的に上刃１０を上げて下刃２０との接触を解除する脱着機構が必要である。これは、縦方向脱着用エヤーシリンダー３６および横方向脱着用エヤーシリンダー３７を作動させることにより行う（これらエヤーシリンダーの駆動源は図示していない）。各脱着量は、各エヤーシリンダーのシリンダーストロークで一定とされる。
【００３２】
そして、ナイフを交換するに当り上下刃のラップ量を一定に保つためには、先ず、交換するナイフの径を知る必要がある。次に、このナイフ径を自動的に計測する動作について説明する。
【００３３】
先ず、上刃のナイフ径を自動的に計測する場合について説明するに、横方向脱着用エヤーシリンダー３７および縦方向脱着用エヤーシリンダー３６を脱着状態に作動させて、上刃１０が下刃２０から離れて上方に位置した状態とし、この状態にて、ナイフの交換を行う。
【００３４】
前述したように、上刃ホルダー３０に配置された上刃用タッチセンサー５０の先端のコンタクト位置は、この脱着状態位置において、当該スリッターにおける切断すべきウエブ上面から、当該スリッターで使用し得る最大径のナイフの刃先径Ａ１に所定の余裕値Ｒ１を加えた値に等しい距離（Ａ１＋Ｒ１）だけ離れた基準点に配されている。そして、この基準点の距離値（Ａ１＋Ｒ１）は、上刃昇降距離演算装置８１の入力部により入力されてその記憶部に記憶されている。この脱着状態位置において、横方向ロッド３４に上刃着脱部３５にて交換ナイフ（新しいナイフ）が保持された状態において、上刃昇降用モータ駆動制御装置８０の駆動源にて、その制御部による制御の下で上刃昇降用ギヤードＡＣサーボモーター３９を付勢することにより、上刃昇降用ギヤーボックス３８を介して上刃昇降ギヤー３２２を所定方向に回転駆動させる。これにより、上刃昇降スクリュウ３２１が上昇させられていき、したがって、縦方向ロッド３２が上昇させられ、かくして、交換ナイフ（新しい上刃１０）が上昇させられていき、その刃先が上刃用タッチセンサー５０の先端のコンタクトに近づいていく。こうして、交換した上刃１０の刃先が上刃用タッチセンサー５０の先端のコンタクトに接触して刃先検出信号が上刃用タッチセンサー５０から出力されたとき、上刃昇降距離演算装置８１は、上刃昇降用モータ駆動制御装置８０の制御部へそのことを指示して、上刃昇降用ギヤードＡＣサーボモーター３９の付勢を停止させると共に、それまでに要した上刃昇降用ギヤードＡＣサーボモーター３９の回転数を受け取り、その記憶部に記憶させる。そして、上刃昇降距離演算装置８１の演算部は、記憶部に記憶されたサーボモーター３９の回転数に基いて交換ナイフの刃先の移動量を算出し、さらに、その算出された移動量と、記憶部に記憶された前述の距離値（Ａ１＋Ｒ１）とに基いて交換ナイフの直径を算出する。
【００３５】
次に、下刃のナイフ径を自動的に計測する場合について説明するに、下刃着脱部４５を操作して、ナイフの交換を行う。下刃ドライブユニット４０に配置された下刃用タッチセンサー６０の先端のコンタクト位置は、この着脱位置において、当該スリッターにおける切断すべきウエブ下面から、当該スリッターで使用し得る最大径のナイフの刃先径Ａ２に所定の余裕値Ｒ２を加えた値に等しい距離（Ａ２＋Ｒ２）だけ離れた基準点に配されている。そして、この基準点の距離値（Ａ２＋Ｒ２）は、下刃昇降距離演算装置９１の入力部により入力されてその記憶部に記憶されている。この着脱状態位置において、下刃ロッド４４に下刃着脱部４５にて交換ナイフ（新しいナイフ）が保持された状態において、下刃昇降用モータ駆動制御装置９０の駆動源にて、その制御部による制御の下で下刃昇降用ギヤードＡＣサーボモーター４９を付勢することにより、下刃昇降用ギヤーボックス４８を介して下刃シャフト保持部４３をリニヤーベアリング４７にそって下降させていき、したがって、下刃４４が下降させられ、かくして、交換ナイフ（新しい下刃２０）が下降させられていき、その刃先が下刃用タッチセンサー６０の先端のコンタクトに近づいていく。こうして、交換した下刃２０の刃先が下刃用タッチセンサー６０の先端のコンタクトに接触して刃先検出信号が下刃用タッチセンサー６０から出力されたとき、下刃昇降距離演算装置９１は、下刃昇降用モータ駆動制御装置９０の制御部へそのことを指示して、下刃昇降用ギヤードＡＣサーボモーター４９の付勢を停止させると共に、それまでに要した下刃昇降用ギヤードＡＣサーボモーター４９の回転数を受け取り、その記憶部に記憶させる。そして、下刃昇降距離演算装置９１の演算部は、記憶部に記憶されたサーボモーター４９の回転数に基いて交換ナイフの刃先の移動量を算出し、さらに、その算出された移動量と、記憶部に記憶された前述の距離値（Ａ２＋Ｒ２）とに基いて交換ナイフの直径を算出する。
【００３６】
なお、前述の実施例では、交換ナイフ径を自動的に計測するのに刃先検出センサーに対して刃先を移動させていくものであったが、本発明は、これに限らず、刃先検出センサーを刃先に対して移動させる構成としても、同様に交換ナイフ径を自動的に計測することができる。図１０は、そのような実施例を上刃ホルダー３０に適用したものを略示する図である。上刃ホルダー３０の大部分の構造は、図７から図９を参照して前述したのと同様であるので、ここでは繰り返し説明しない。
【００３７】
図１０の実施例では、上刃ホルダー支持部３１にリニヤースケール支持部７１を介してリニヤースケール７０が取り付けられており、このリニヤースケール７０の下端に上刃用タッチセンサー５０が取り付けられている。そして、このリニヤースケール７０と上刃用タッチセンサー５０との間に、リニヤースケール駆動制御装置７２が配置されている。
【００３８】
次に、このような構成において、上刃のナイフ径を自動的に計測する場合について説明するに、横方向脱着用エヤーシリンダー３７および縦方向脱着用エヤーシリンダー３６を脱着状態に作動させて、上刃１０が下刃２０から離れて上方に位置した状態とし、この状態にて、ナイフの交換を行うのは前述した実施例におけるのと同様である。前述したように、上刃ホルダー３０に配置された上刃用タッチセンサー５０の先端のコンタクト位置は、この脱着状態位置において、当該スリッターにおける切断すべきウエブ上面から、当該スリッターで使用し得る最大径のナイフの刃先径Ａ３に所定の余裕値Ｒ３を加えた値に等しい距離（Ａ３＋Ｒ３）だけ離れた基準点に配されている。この脱着状態位置において、横方向ロッド３４に上刃着脱部３５にて交換ナイフ（新しいナイフ）が保持された状態において、リニヤースケール駆動制御装置７２にて、リニヤースケール７０を駆動させ、上刃用タッチセンサー５０の先端のコンタクトを交換ナイフ１０の刃先に対して移動させていく。こうして、交換した上刃１０の刃先に対して上刃用タッチセンサー５０の先端のコンタクトが接触して刃先検出信号が上刃用タッチセンサー５０から出力されたとき、リニヤースケール駆動制御装置７２は、リニヤースケール７０の移動を停止させる。そして、リニヤースケール７０にて、その上刃用タッチセンサー５０のコンタクトの移動量を読み取り、前述の距離（Ａ３＋Ｒ３）とに基いて、交換ナイフの直径を算出する。
【００３９】
次に、上下刃のラップ量を所望値に自動的に調整する方法について説明するに、前述した方法でナイフ径を自動的に計測した後、下刃が椀型刃の場合は、ナイフセンターからウエブ面までの距離がナイフ径の２分の１となるように、また、皿型刃の場合は、（ナイフ径＋ラップ量）×１／２になるように下刃の位置を自動調節する。この場合の基準点は、前述した刃先検出センサーの作動点を原点とすればよい。そして、このような下刃位置の調節は、前述したのと同様に下刃昇降用ギヤードＡＣサーボモーター４９を付勢制御することにより行われ得る。
【００４０】
上刃については、上刃ホルダー３０を一旦脱状態とし、〔（ナイフ径＋ラップ量）×１／２＋（脱着量）〕となるようにナイフセンターの位置を自動調節する。そして、このような上刃位置の調節は、前述したのと同様に上刃昇降用ギヤードＡＣサーボモーター３９を付勢制御することにより行われ得る。
【００４１】
本発明のさらに別の方法について説明するに、交換前のラップ量を保持するだけであれば、交換前のナイフ径を、上刃昇降距離演算装置８１や下刃昇降距離演算装置９１のカウンターに記憶させ表示しておき、ナイフの移動量の２倍の値を、そのカウンター値から加減算するようにしておけば、その値が交換するナイフ径と等しくなるまでナイフを移動させれば、自動的に交換前のラップ量を得ることが出来る。この場合、ナイフ径は、予めノギス等のスケール等で計測する必要はあるものの、ナイフ刃をスケールを当てて計測することはさほど手間でもなく、半自動方式として推奨できる実務的な方法である。
【産業上の利用可能性】
【００４２】
本発明によれば、丸刃を使用するシヤーカット型スリッターにおいて、交換ナイフの直径を自動的または半自動的に計測でき、また、上下刃のラップ量も自動的に調整できるので、ナイフ交換時の手間が非常に簡単化される。また、熟練した作業者でなくとも、容易にナイフ交換を問題なく行うことができる。
【符号の説明】
【００４３】
１０  上刃
２０  下刃
３０  上刃ホルダー
３１  上刃ホルダー支持部
３２  縦方向ロッド
３３  横方向ロッド保持部
３４  横方向ロッド
３５  上刃着脱部
３６  縦方向脱着用エヤーシリンダー
３７  横方向脱着用エヤーシリンダー
３８  上刃昇降用ギヤーボックス
３９  上刃昇降用ギヤードＡＣサーバモーター
４０  下刃ドライブユニット
４１  下刃ドライブユニットベースフレーム
４２  ガイド板
４３  下刃シャフト保持部
４４  下刃シャフト
４５  下刃着脱部
４６  下刃駆動モーター
４７  リニヤーベアリング
４８  下刃昇降用ギヤーボックス
４９  下刃昇降用ギヤードＡＣサーボモーター
５０  上刃用タッチセンサー
５１  上刃用タッチセンサー支持部
６０  下刃用タッチセンサー
６１  下刃用タッチセンサー支持部
７０  リニヤースケール
７１  リニヤースケール支持部
７２  リニヤースケール駆動制御装置
８０  上刃昇降用モータ駆動制御装置
８１  上刃昇降距離演算装置
９０  下刃昇降用モータ駆動制御装置
９１  下刃昇降距離演算装置
３１１  リニヤーベアリング
３２１  上刃昇降スクリュウ
３２２  上刃昇降ギヤー
３３１  リニヤーベアリング
３８１  上刃昇降駆動ギヤー
３８２  上刃昇降中継ギヤー
【図１】
2010234522.tif 000003
【図２】
2010234522.tif 000004
【図３】
2010234522.tif 000005
【図４】
2010234522.tif 000006
【図５】
2010234522.tif 000007
【図６】
2010234522.tif 000008
【図７】
2010234522.tif 000009
【図８】
2010234522.tif 000010
【図９】
2010234522.tif 000011
【図１０】
2010234522.tif 000012